(57)【特許請求の範囲】
【請求項１】
プリンタを有する据置型のドッキングステーションへの装着およびそのドッキングステーションからの離脱が自在な携帯型の情報端末であって、
商品の販売に係るデータの入力を受付ける入力手段と、
前記入力手段で受付けたデータを処理する処理手段と、
プリントが指定されたとき、当該情報端末が前記ドッキングステーションに装着されている場合はプリント用データを前記プリンタでプリントし、当該情報端末が前記ドッキングステーションに装着されていない場合は前記プリント用データを保存する第１制御手段と、
前記ドッキングステーションへの装着およびそのドッキングステーションからの離脱を検出する検出手段と、
前記検出手段が装着を検出したとき、前記プリント用データの保存の有無を判定する判定手段と、
前記判定手段の判定結果が保存ありの場合、プリント用データが存在する旨を報知する報知手段と、
前記報知手段の報知に対しプリント実行の指定があった場合に、前記保存されたプリント用データを前記プリンタでプリントする第２制御手段と、
前記報知に対しプリント実行の指定がない場合、前記処理手段による処理が終了した後、プリント用データが存在する旨を再び報知する再報知手段と、
を具備する情報端末。
【請求項２】
前記プリンタは、複数種のプリンタであり、
前記第２制御手段は、前記保存されたプリント用データの内容に応じて前記各プリンタのいずれかを選定し、選定したプリンタにより、前記保存されたプリント用データをプリントする、請求項１記載の情報端末。
【発明の詳細な説明】
【技術分野】
【０００１】
本発明の実施形態は、携帯型の情報端末に関する。
【背景技術】
【０００２】
買物客がレジカウンタに持ち込む商品のデータを読取り、その読取りデータを商品販売データとして処理する商品販売データ処理装置例えばＰＯＳ（Point Of Sales）端末が知られている。
【０００３】
このＰＯＳ端末は、店舗のレジカウンタに設置される据置型である。
【０００４】
一方、表示画面に対する手指のタッチ操作によって情報入力が可能な携帯型の情報端末、例えばタブレット型情報端末の普及および低価格化が著しい。
【０００５】
このような情報端末をＰＯＳ端末として活用する場合、データのプリントが必要となる状況がしばしば生じる。
【０００６】
プリントが必要となった場合、係員は、店舗内の管理室などに赴き、その管理室に設置されているプリンタに情報端末を接続してデータのプリントを行う。管理室のプリンタが通信ネットワークに接続されている場合、係員は、情報端末のプリント用データを通信ネットワーク経由でプリンタに送り、プリントを行う。
【０００７】
ただし、情報端末をプリンタにいちいち接続する作業は、係員にとって負担であり、作業効率も低下する。
【０００８】
通信ネットワーク経由のプリントの場合には、情報端末をプリンタに接続する作業が不要となるが、半面、複数あるプリンタの中から１台のプリンタを選択するなどの条件設定が必要となる。これは、係員にとって、やはり負担である。プリントしたデータが重要なものである場合、係員がプリンタのところまで赴く間にプリント済みの用紙の内容が第三者に漏洩する可能性もある。プリントしたことを係員が忘れ、プリント済みの用紙がプリンタ上に放置されることもある。
【先行技術文献】
【特許文献】
【０００９】
【特許文献１】特開２０１２−２５２６０５号公報
【発明の概要】
【発明が解決しようとする課題】
【００１０】
プリントに関する係員の負担を軽減するとともに、作業効率の向上を図り、プリント済みの用紙の内容が第三者に漏洩する不具合も防ぐ。
【課題を解決するための手段】
【００１１】
一実施形態の情報端末は、プリンタを有する据置型のドッキングステーションへの装着およびそのドッキングステーションからの離脱が自在な携帯型の情報端末であって、商品の販売に係るデータの入力を受付ける入力手段と、前記入力手段で受付けたデータを処理する処理手段と、プリントが指定されたとき、当該情報端末がドッキングステーションに装着されている場合はプリント用データをドッキングステーションのプリンタでプリントし、当該情報端末がドッキングステーションに装着されていない場合はプリント用データを保存する第１制御手段とを備える。さらに同情報端末は、前記ドッキングステーションへの装着およびそのドッキングステーションからの離脱を検出する検出手段と、前記検出手段が装着を検出したとき、前記プリント用データの保存の有無を判定する判定手段と、
前記判定手段の判定結果が保存ありの場合、プリント用データが存在する旨を報知する報知手段と、前記報知手段の報知に対しプリント実行の指定があった場合に、前記保存されたプリント用データを前記プリンタでプリントする第２制御手段と、前記報知に対しプリント実行の指定がない場合、前記処理手段による処理が終了した後、プリント用データが存在する旨を再び報知する再報知手段とを備える。
【図面の簡単な説明】
【００１２】
【図１】一実施形態のドッキングステーションおよびタブレット端末の外観を示す図。
【図２】一実施形態のタブレット端末をドッキングステーションから離脱した状態を示す図。
【図３】一実施形態を含むＰＯＳシステムの概略構成図。
【図４】一実施形態のドッキングステーションおよびタブレット端末の要部を示すブロック図。
【図５】一実施形態のタブレット端末のＣＰＵが実行する制御を示すフローチャート。
【図６】一実施形態のプリント用データテーブルの内容を示す図。
【図７】一実施形態のタブレット端末の案内画面を示す図。
【発明を実施するための形態】
【００１３】
以下、商品販売データ処理装置の一実施形態について、図面を用いて説明する。なお、この実施形態は、タブレット型情報端末を活用してＰＯＳ端末としての機能を実現してなる商品販売データ処理装置を例示する。
【００１４】
図１において、１は据置型のドッキングステーション１で、店舗のレジカウンタに設置される。１０はドッキングステーション１への装着およびその取外しが自在な情報端末、例えばタブレット型情報端末（以下、タブレット端末と略称する）である。タブレット端末１０をドッキングステーション１に装着した状態を図１に示し、タブレット端末１０をドッキングステーション１から離脱した状態を図２に示す。
【００１５】
すなわち、ドッキングステーション１は、タブレット端末１０が上部に装着（載置）される箱形の筐体を有し、その筐体の正面にスキャナ用の読取窓２を備え、同筐体の左側面に用紙発行口３を備える。タブレット端末１０を持ち上げてドッキングステーション１から離脱させると、図２のように、ドッキングステーション１の筐体の上部に傾斜状の端末装着部４が現われるとともに、その端末装着部４に配置した拡張用コネクタ５が露出する。
【００１６】
タブレット端末１０は、片手で持つことが可能な矩形状の筐体を有し、その筐体の上面に手指によるタッチ操作が可能なタッチパネル式表示部１１を備えるとともに、同筐体の背面に後述のドッキング用コネクタ６８を備える。タブレット端末１０の背面側をドッキングステーション１の端末装着部４に載置しながらドッキング用コネクタ６８を拡張用コネクタ５に嵌め込むことにより、タブレット端末１０とドッキングステーション１との電気的な接続が完了する。この接続は、タブレット端末１０を持ち上げて端末装着部４から引き離すことにより、容易に解除することができる。
【００１７】
１つのドッキングステーション１および１つのタブレット端末１０により、商品販売データ処理装置を構成している。この商品販売データ処理装置を用いたＰＯＳシステムの概略を図３に示す。
【００１８】
ＰＯＳシステムは、複数台の商品販売データ処理装置と、これら商品販売データ処理装置を一元的に管理する店舗サーバ２０とを含む。各商品販売データ処理装置のドッキングステーション１と店舗サーバ２０とは、ＬＡＮ（Local Area Network）等の通信ネットワーク２１を介して双方向通信自在に接続される。また、通信ネットワーク２１およびその通信ネットワーク２１に接続された１台または複数台の無線中継機２２により、各商品販売データ処理装置のタブレット端末１０と店舗サーバ２０とが双方向通信自在に接続される。タブレット端末１０は、ドッキングステーション１に装着されているときもドッキングステーション１から離脱しているときも、ＰＯＳ端末としての機能を実現できる。
【００１９】
店舗の運用として、複数の係員がタブレット端末１０を１台ずつ所持する。係員は、レジカウンタでのキャッシャーの業務に就くとき、手持ちのタブレット端末１０をレジカウンタ上のドッキングステーション１に装着し、タブレット端末１０のタッチパネル式表示部１１の表示に従って通常のＰＯＳ端末と同様の会計を行う。
【００２０】
ドッキングステーション１およびタブレット端末１０の要部を図４に示す。  
ドッキングステーション１は、上記拡張用コネクタ５のほかに、通信インターフェース４１、補助記憶デバイス（記憶手段）４２、電源ユニット４３、スキャナ４４、プリンタ（第１プリンタ）４５、ラベルプリンタ（第２プリンタ）４６、Ｉ／Ｏコントローラ４７，４８を少なくとも搭載する。通信インターフェース４１、補助記憶デバイス４２、電源ユニット４３、スキャナ４４、プリンタ４５、ラベルプリンタ４６、Ｉ／Ｏコントローラ４７，４８は、アドレスバス，データバス等のバスライン４０によって相互接続される。
【００２１】
通信インターフェース４１は、通信ネットワーク２１に接続される。通信インターフェース４１は、通信ネットワーク２１を介してタブレット端末１０と店舗サーバ２０との間で行われるデータの送受信を司る。
【００２２】
補助記憶デバイス４２は、コンピュータの補助記憶部分に相当する。補助記憶デバイス４２は、例えばＥＥＰＲＯＭ（electric erasable programmable read-only memory）、ＨＤＤ（Hard Disk Drive）、あるいはＳＳＤ（solid state drive）などである。補助記憶デバイス４２は、タブレット端末１０のＣＰＵ６１が各種の処理を行う上で使用するデータや、ＣＰＵ６１での処理によって生成されたデータを保存する。補助記憶デバイス４２は、アプリケーションプログラムを記憶する場合もある。
【００２３】
電源ユニット４３は、商用交流電源３０の電圧を当該ドッキングステーション１の動作用電圧に変換し出力するとともに、タブレット端末１０に対する充電用電圧を出力する。この充電用電圧は、拡張用コネクタ５を介してタブレット端末１０に供給される。
【００２４】
スキャナ４４は、読取窓２に翳されるバーコード等を光学的に読み取る。スキャナ４４は、カメラによって撮像した商品画像からその商品に付されるバーコード等を読み取るタイプであってもよい。
【００２５】
プリンタ４５は、レシートやジャーナル用のロール紙を搭載し、そのロール紙に対する例えばサーマル方式のプリントを行う。ラベルプリンタ４６は、ロール状のラベル用紙を搭載し、そのラベル用紙に対する例えばサーマル方式のプリントを行う。プリントされた用紙は、用紙発行口３から排出されるとともに所定の長さで切断される。
【００２６】
Ｉ／Ｏコントローラ４７は、ドッキングステーション１の筐体の背面または側面に外付け接続される機器例えばドロワ５１を制御する。Ｉ／Ｏコントローラ４８は、ドッキングステーション１の筐体の背面または側面に外付け接続される機器例えばカードリーダライタ５２を制御する。カードリーダライタ５２は、電子マネーカードに対するデータの読取り及び書込みが可能である。
【００２７】
一方、タブレット端末１０は、ＣＰＵ（Central Processing Unit）６１、ＲＯＭ（Read Only Memory）６２、ＲＡＭ（Random Access Memory）６３、タッチパネルコントローラ６４、無線通信ユニット６５、時計部６６、ＵＳＢ（Universal Serial Bus）コネクタ６７、ドッキング用コネクタ６８、バッテリ６９などを搭載する。ＣＰＵ６１と、ＲＯＭ６２、ＲＡＭ６３、タッチパネルコントローラ６４、無線通信ユニット６５、時計部６６、ＵＳＢコネクタ６７、ドッキング用コネクタ６８とは、アドレスバス，データバス等のバスライン７０によって接続される。
【００２８】
ＣＰＵ６１は、コンピュータの中枢部分に相当する。ＣＰＵ６１は、オペレーティングシステムやアプリケーションプログラムに従って、ＰＯＳ端末としての各種の機能を実現するべく各部を制御する。
【００２９】
ＲＯＭ６２は、上記コンピュータの主記憶部分に相当する。ＲＯＭ６２は、上記オペレーティングシステムやアプリケーションプログラムを記憶する。ＲＯＭ６２は、ＣＰＵ６１が各種の処理を実行する上で必要なデータを記憶する場合もある。
【００３０】
ＲＡＭ６３は、上記コンピュータの主記憶部分に相当する。ＲＡＭ６３は、ＣＰＵ６１が各種の処理を実行する上で必要なデータを必要に応じて記憶する。またＲＡＭ６３は、ＣＰＵ６１が各種の処理を行う際のワークエリアとしても利用される。
【００３１】
タッチパネル式表示部１１は、ディスプレイ２１ｄの表示部分に、入力部であるタッチセンサ２１ｔを配置して構成される。このタッチパネル式表示部１１が接続されるタッチパネルコントローラ６４は、ディスプレイ２１ｄの画面表示を制御するとともに、タッチセンサ２１ｔの信号を監視する。そしてタッチパネルコントローラ６４は、タッチ操作された位置座標情報とそのタッチ操作時点におけるディスプレイ２１ｄの画面情報とから、入力データを検出する。
【００３２】
無線通信ユニット６５は、上記無線中継機２２との間で無線通信を利用してデータの送受信を行う。時計部６６は、現在の日付及び時刻を計時する。
【００３３】
ＵＳＢコネクタ６７は、ＵＳＢ規格に準拠した通信方式を有する種々のＵＳＢデバイスを着脱自在に接続するためのコネクタである。このＵＳＢコネクタ６７には、上記ドロワ５１や上記カードリーダライタ５２を接続することが可能である。
【００３４】
ドッキング用コネクタ６８は、タブレット端末１０をドッキングステーション１に接続するためのもので、タブレット端末１０の筐体の背面に配置される。
【００３５】
バッテリ６９は、当該タブレット端末１０の動作用電圧を出力するもので、当該タブレット端末１０がドッキングステーション１に装着された場合に、ドッキングステーション１から拡張用コネクタ５およびドッキング用コネクタ６８を介して供給される充電用電圧によって充電される。
【００３６】
そして、ＣＰＵ６１は、ＲＯＭ６２内の制御プログラムに基づく主要な機能として、次の（１）〜（７）の手段を有する。  
（１）タッチパネル式表示部１１の表示画面に対する手指等のタッチ操作、およびドッキングステーション１におけるスキャナ４４の読取りデータを、商品の販売に係るデータの入力として受付ける入力手段。
【００３７】
（２）上記入力手段で受付けた入力データを商品販売データとして処理する処理手段。
【００３８】
（３）ドッキングステーション１への装着およびそのドッキングステーション１からの離脱を検出する検出手段。この検出手段は、具体的には、ドッキング用コネクタ６８を介して確認信号を送出し、この確認信号がドッキング用コネクタ６８に戻る場合は装着されていると判定し、確認信号がドッキング用コネクタ６８に戻らない場合は離脱していると判定する。
【００３９】
(４)上記処理手段による処理の実行中にタッチパネル式表示部１１へのタッチ操作によってプリントが指定されたとき、上記検出手段の検出結果が装着である場合はＲＡＭ６３内のプリント用データ（処理済みデータ）をプリンタ４５およびラベルプリンタ４６のいずれかでプリントし、上記検出手段の検出結果が非装着である場合はＲＡＭ６３内のプリント用データを同ＲＡＭ６３内のプリント用データテーブルに順次に保存する第１制御手段。
【００４０】
(５)上記検出手段が装着を検出したその時点において（装着時点）、ＲＡＭ６３内のプリント用データテーブルにプリント用データの保存があるか否かを判定する判定手段。
【００４１】
(６)上記判定手段の判定結果が保存ありの場合、プリント用データが存在する旨をタッチパネル式表示部１１の表示により報知するとともに、この報知に対する応答としてタッチパネル式表示部１１へのタッチ操作によるプリント実行の指定がない場合、上記処理手段による処理が終了した後、プリント用データが存在する旨をタッチパネル式表示部１１の表示により再び報知する報知手段。
【００４２】
(７)上記報知手段の報知に対しタッチパネル式表示部１１へのタッチ操作によるプリント実行の指定があった場合、ＲＡＭ６３内のプリント用データテーブルに保存されている各プリント用データをプリンタ４５およびラベルプリンタ４６のいずれかで順にプリントする第２制御手段。なお、第２制御手段は、具体的には、プリント用データテーブル内の各プリント用データの内容に応じてプリンタ４５およびラベルプリンタ４６のいずれか一方を逐次に選定し、選定したプリンタにより、そのプリント用データテーブル内の各プリント用データを順にプリントする。
【００４３】
つぎに、タブレット端末１０のＣＰＵ６１が実行する制御を図５のフローチャートを参照しながら説明する。  
ＣＰＵ６１は、タッチパネル式表示部１１の初期画面上における業務の指定を監視する（Ａｃｔ１）。初期画面へのタッチ操作によって業務が指定されたとき（Ａｃｔ１のＹＥＳ）、ＣＰＵ６１は、指定された業務に対応するアプリケーションプログラムを起動し（Ａｃｔ２）、そのアプリケーションプログラムに基づく処理を実行する（Ａｃｔ３）。
【００４４】
この処理中にプリント指定があった場合(Ａｃｔ４のＹＥＳ)、ＣＰＵ６１は、当該タブレット端末１０がドッキングステーション１に装着されていることを条件に(Ａｃｔ５のＹＥＳ)、ＲＡＭ６３内のプリント用データ（処理済みデータ）をプリンタ４５およびラベルプリンタ４６のいずれか一方でプリントする(Ａｃｔ６)。
【００４５】
この場合、ＣＰＵ６１は、ＲＡＭ６３内のプリント用データの内容がラベル発行業務に対応するものであれば、ラベルプリンタ４６を選定する。このラベルプリンタ４６のプリントにより、商品の名称や商品識別用の２次元コード等が記載されたラベルが発行される。
【００４６】
ＲＡＭ６３内のプリント用データの内容がラベル発行業務以外の例えば会計業務、在庫管理業務、注文受付業務、売上登録業務、返品登録業務、クーポン発行業務等に対応するものであれば、ＣＰＵ６１は、プリンタ４５を選定する。このプリンタ４５のプリントにより、会計業務であればレシートが発行される。在庫管理業務であれば、在庫リスト表が発行される。注文受付業務であれば、注文受付用紙（オーダー用紙ともいう）が発行される。売上登録業務であれば、ジャーナルが発行される。返品登録業務であれば、返品リスト表が発行される。買物客からクーポンの発行を要望された場合や会計済みの買物客にクーポンを配布する場合などに行うクーポン発行業務であれば、割引や優待等のサービス用のクーポン券が発行される。なお、プリント完了後、ＣＰＵ６１は、ＲＡＭ６３内のプリント用データを消去する。
【００４７】
一方、ＣＰＵ６１は、プリント指定があったときに（Ａｃｔ４のＹＥＳ）、当該タブレット端末１０がドッキングステーション１に装着されていない場合（Ａｃｔ５のＮＯ）、ＲＡＭ６３内のプリント用データ（処理済みデータ）を同ＲＡＭ６３内のプリント用データテーブルに保存する（Ａｃｔ７）。
【００４８】
プリント用データテーブルは、図６に示すように、端末・プリントコード・日時・業務名・データなどの項目を含む。端末の項目には、処理を実行したタブレット端末１０の端末コード例えば“Ｘ１”“Ｘ２”…“Ｘｎ”が入る。プリントコードの項目には、プリント用データを識別するためのプリントコードが保存順に入る。日時の項目には、処理の日時データが入る。業務名の項目には、プリント用データが何の業務のものであるかを表わす業務名が入る。データの項目には、１つまたは複数のプリント用データＤ１，Ｄ２，…Ｄｎが順に入る。
【００４９】
タッチパネル式表示部１１の表示画面上の終了キーがタッチ操作（終了操作）されたとき（Ａｃｔ８のＹＥＳ）、ＣＰＵ６１は、処理を終了する（Ａｃｔ９）。
【００５０】
この終了処理に伴い、ＣＰＵ６１は、プリントフラグｆを確認する（Ａｃｔ１０）。プリントフラグｆが“１”でない場合（Ａｃｔ１０のＮＯ）、Ａｃｔ１に戻って業務の指定を監視する。
【００５１】
一方、店舗内を歩き回りながら手持ちのタブレット端末１０を用いて任意の業務を遂行した係員は、レジカウンタに戻った際に、手持ちのタブレット端末１０をドッキングステーション１に装着する。この装着時点において（Ａｃｔ１のＮＯ、Ａｃｔ１１のＹＥＳ）、ＣＰＵ６１は、ＲＡＭ６３内のプリント用データテーブルにプリント用データの保存があるか否かを判定する（Ａｃｔ１２）。
【００５２】
プリント用データの保存がある場合（Ａｃｔ１２のＹＥＳ）、ＣＰＵ６１は、図７に示すように、プリント用データが存在する旨をタッチパネル式表示部１１における例えば『プリントが必要なデータがあります。プリントしますか』という案内文字１０１の表示より報知する（Ａｃｔ１３）。この案内画面は、案内文字１０１のほかに、応答用の“ＯＫ”キー１０２および“後で”キー１０３の表示を含む。
【００５３】
この案内画面上の“ＯＫ”キー１０２がタッチ操作された場合（Ａｃｔ１４のＹＥＳ）、ＣＰＵ６１は、そのタッチ操作をプリント実行の指定であるとの判断の下に、ＲＡＭ６３内のプリント用データテーブルに保存されている各プリント用データをプリンタ４５またはラベルプリンタ４６で順にプリントする（Ａｃｔ１５）。
【００５４】
このプリント完了に伴い、ＣＰＵ６１は、Ａｃｔ１に戻って業務の指定を監視する。
【００５５】
ところで、Ａｃｔ１３での案内画面の表示に際し、接客などで忙しい場合はプリントを保留したい場合がある。この場合、係員は、案内画面上の“後で”キー１０３にタッチ操作する。“後で”キー１０３がタッチ操作された場合（Ａｃｔ１４のＮＯ）、ＣＰＵ６１は、そのタッチ操作をプリント実行の保留であるとの判断の下に、プリントフラグｆを“１”にセットする（Ａｃｔ１６）。
【００５６】
ＣＰＵ６１は、Ａｃｔ３で実行した処理に対するＡｃｔ９の終了処理に伴い、プリントフラグｆを確認する（Ａｃｔ１０）。プリントフラグｆが“１”の場合（Ａｃｔ１０のＹＥＳ）、ＣＰＵ６１は、当該タブレット端末１０がドッキングステーション１に装着されていることを条件に(Ａｃｔ１７のＹＥＳ)、プリント用データが存在する旨を図７の案内画面の表示により再び報知する（Ａｃｔ１８）。
【００５７】
この報知に対する応答として案内画面上の“ＯＫ”キー１０２がタッチ操作された場合（Ａｃｔ１９のＹＥＳ）、ＣＰＵ６１は、そのタッチ操作をプリント実行の指定であるとの判断の下に、ＲＡＭ６３内のプリント用データテーブルに保存されている各プリント用データをプリンタ４５またはラベルプリンタ４６で順にプリントする（Ａｃｔ２０）。このプリントに伴い、ＣＰＵ６１は、プリントフラグを“０”にセットする（Ａｃｔ２１）。なお、プリント完了後、ＣＰＵ６１は、プリント用データテーブル内の各プリント用データを消去する。
【００５８】
このように、タブレット端末１０がドッキングステーション１に装着されていない場合は各プリント用データをタブレット端末１０に順に保存しておき、その後、タブレット端末１０がドッキングステーション１に装着された時点で、保存しておいた各プリント用データをドッキングステーション１で順にプリントするので、プリント用データが生じるごとにタブレット端末１０を管理室などのプリンタに接続する作業が不要であり、係員の負担を軽減でき、作業効率も向上する。
【００５９】
タブレット端末１０がドッキングステーション１に装着された時点でプリント用データの保存があれば、プリント用データが存在する旨を図７の案内画面の表示によって報知するので、プリントが必要であることを係員に的確に知らせることができる。プリントが必要であることを知った係員は、すぐにプリントしたければ案内画面の“ＯＫ”キー１０２にタッチするだけで、各プリント用データのプリントを開始することができる。後でプリントしたい場合、係員は、“後で”キー１０３にタッチ操作することにより、各プリント用データのプリントを保留にすることができる。
【００６０】
保留後の各プリント用データの存在については、１つの処理が終了するごとに図７の案内画面を表示して再報知するので、プリント用データが残っていることを係員に的確に知らせることができる。
【００６１】
タブレット端末１０を装着したドッキングステーション１において各プリント用データのプリントが完了するので、係員はプリント済みの用紙をその場で速やかに回収することができる。プリント済みの用紙がいつまでも放置される心配もない。したがって、プリント済みの用紙の内容が第三者に漏洩するなどの不具合を防ぐことができる。
【００６２】
ドッキングステーション１が店舗内の複数個所に設置されている場合は、その設置場所の各々において、しかも係員が業務をし易い場所で、プリントを完了することができる。この点でも、作業効率が向上する。
【００６３】
なお、上記実施形態では、１つのドッキングステーション１が２台のプリンタを搭載している場合を例に説明したが、プリンタの種類および台数については業務の種類などに応じて適宜に選定可能である。
【００６４】
商品販売データ処理装置の譲渡は一般に、制御プログラム等のプログラムがＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいは通信ネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００６５】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…ドッキングステーション、２…読取窓、３…用紙発行口、４…端末装着部、５…拡張用コネクタ、１０…タブレット端末（情報端末）、１１…タッチパネル式表示部、６１…ＣＰＵ、６３…ＲＡＭ、６９…ドッキング用コネクタ
【図１】
0006042503.tif 000002
【図２】
0006042503.tif 000003
【図３】
0006042503.tif 000004
【図４】
0006042503.tif 000005
【図５】
0006042503.tif 000006
【図６】
0006042503.tif 000007
【図７】
0006042503.tif 000008